(57)【特許請求の範囲】
【請求項１】
気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムであって、
前記配信エリア特定サーバが、
前記受信した緊急地震速報のうち１拠点観測情報に基づいて、ブロードキャストにより情報を配信するエリアを特定するエリア特定手段と、
前記１拠点観測情報に基づいて、前記携帯端末のブロードキャスト受信モードを起動するためのブロードキャストメッセージを生成する生成手段と、
該エリア特定手段が特定したエリア情報と、該生成手段が生成したブロードキャストメッセージと、前記緊急地震速報配信装置から受信した２拠点観測情報とを前記交換機に送信する第１の送信手段と、を備え、
前記交換機が、
前記配信エリア特定サーバから受信したエリア情報に基づいて、該当する基地局と回線を接続する回線接続手段と、
該回線接続手段により回線を接続した基地局内の前記無線制御装置に、受信したブロードキャストメッセージを送信するとともに、２拠点観測情報を受信したときに、該２拠点観測情報を送信する第２の送信手段と、を備え、
前記無線制御装置が、
前記ブロードキャストメッセージを受信したときに、前記携帯端末のブロードキャスト受信モードを起動させる起動信号を送信するとともに、前記２拠点観測情報を受信したときに、該２拠点観測情報を送信する第３の送信手段を備え、
前記携帯端末が、
前記起動信号を受信したときに、ブロードキャスト受信モードを起動させる起動手段と、
前記２拠点観測情報を受信したときに、配信された文字列を表示する表示手段と、
を備えたことを特徴とする緊急地震速報配信システム。
【請求項２】
前記配信エリア特定サーバの第１の送信手段が、前記１拠点観測情報を所定時間経過後に、再送信することを特徴とする請求項１に記載の緊急地震速報配信システム。
【請求項３】
前記配信エリア特定サーバが、前記再送信の送信間隔および送信回数を設定する再送信設定手段を備えたことを特徴とする請求項２に記載の緊急地震速報配信システム。
【請求項４】
前記配信エリア特定サーバが、前記１拠点観測情報に類するダミー情報を生成する生成手段を備え、第１の送信手段が、該生成したダミー情報を送信することを特徴とする請求項１に記載の緊急地震速報配信システム。
【請求項５】
前記配信エリア特定サーバが、前記生成手段が生成するダミー情報の生成間隔および生成回数を設定するダミー情報設定手段を備えたことを特徴とする請求項４に記載の緊急地震速報配信システム。
【請求項６】
気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムにおける緊急地震速報配信方法であって、
前記配信エリア特定サーバが、前記受信した緊急地震速報のうち１拠点観測情報に基づいて、ブロードキャストにより情報を配信するエリアを特定する第１のステップと、
前記１拠点観測情報に基づいて、前記携帯端末のブロードキャスト受信モードを起動するためのブロードキャストメッセージを生成する第２のステップと、
該特定したエリア情報と、該生成したブロードキャストメッセージとを前記交換機に送信する第３のステップと、
前記交換機が、前記配信エリア特定サーバから受信したエリア情報に基づいて、該当する基地局と回線を接続する第４のステップと、
該回線を接続した基地局内の前記無線制御装置に、受信したブロードキャストメッセージを送信する第５のステップと、
前記無線制御装置が前記ブロードキャストメッセージを受信したときに、前記携帯端末のブロードキャスト受信モードを起動させる起動信号を送信する第６のステップと、
前記携帯端末が、前記起動信号を受信したときに、ブロードキャスト受信モードを起動させる第７のステップと、
前記配信エリア特定サーバが、２拠点観測情報を受信したときに、前記交換機、無線制御装置を介して、前記携帯端末に該２拠点観測情報を送信する第８のステップと、
前記携帯端末が、前記２拠点観測情報を受信したときに、配信された文字列を表示する第９のステップと、
を備えたことを特徴とする緊急地震速報配信方法。
【請求項７】
気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムにおける緊急地震速報配信方法であって、
前記配信エリア特定サーバが、前記受信した緊急地震速報のうち１拠点観測情報に基づいて、ブロードキャストにより情報を配信するエリアを特定する第１のステップと、
前記１拠点観測情報に基づいて、前記携帯端末のブロードキャスト受信モードを起動するためのブロードキャストメッセージを生成する第２のステップと、
該特定したエリア情報と、該生成したブロードキャストメッセージとを前記交換機に送信する第３のステップと、
前記交換機が、前記配信エリア特定サーバから受信したエリア情報に基づいて、該当する基地局と回線を接続する第４のステップと、
該回線を接続した基地局内の前記無線制御装置に、受信したブロードキャストメッセージを送信する第５のステップと、
前記無線制御装置が前記ブロードキャストメッセージを受信したときに、前記携帯端末のブロードキャスト受信モードを起動させる起動信号を送信する第６のステップと、
前記携帯端末が、前記起動信号を受信したときに、ブロードキャスト受信モードを起動させる第７のステップと、
所定時間経過後に、前記交換機を介して、基地局内の無線制御装置に、前記ブロードキャストメッセージを再送信する第８のステップと、
前記配信エリア特定サーバが、２拠点観測情報を受信したときに、前記交換機、無線制御装置を介して、前記携帯端末に該２拠点観測情報を送信する第９のステップと、
前記携帯端末が、前記２拠点観測情報を受信したときに、配信された文字列を表示する第１０のステップと、
を備えたことを特徴とする緊急地震速報配信方法。
【請求項８】
気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムにおける緊急地震速報配信方法であって、
前記配信エリア特定サーバが、前記受信した緊急地震速報のうち１拠点観測情報に基づいて、ブロードキャストにより情報を配信するエリアを特定する第１のステップと、
前記１拠点観測情報に基づいて、前記携帯端末のブロードキャスト受信モードを起動するためのブロードキャストメッセージを生成する第２のステップと、
該特定したエリア情報と、該生成したブロードキャストメッセージとを前記交換機に送信する第３のステップと、
前記交換機が、前記配信エリア特定サーバから受信したエリア情報に基づいて、該当する基地局と回線を接続する第４のステップと、
該回線を接続した基地局内の前記無線制御装置に、受信したブロードキャストメッセージを送信する第５のステップと、
前記無線制御装置が前記ブロードキャストメッセージを受信したときに、前記携帯端末のブロードキャスト受信モードを起動させる起動信号を送信する第６のステップと、
前記携帯端末が、前記起動信号を受信したときに、ブロードキャスト受信モードを起動させる第７のステップと、
所定時間経過後に、前記交換機を介して、基地局内の無線制御装置に、ダミーのブロードキャストメッセージを再送信する第８のステップと、
前記配信エリア特定サーバが、２拠点観測情報を受信したときに、前記交換機、無線制御装置を介して、前記携帯端末に該２拠点観測情報を送信する第９のステップと、
前記携帯端末が、前記２拠点観測情報を受信したときに、配信された文字列を表示する第１０のステップと、
を備えたことを特徴とする緊急地震速報配信方法。
【請求項９】
気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムにおける緊急地震速報配信方法をコンピュータに実行させるためのプログラムであって、
前記配信エリア特定サーバが、前記受信した緊急地震速報のうち１拠点観測情報に基づいて、ブロードキャストにより情報を配信するエリアを特定する第１のステップと、
前記１拠点観測情報に基づいて、前記携帯端末のブロードキャスト受信モードを起動するためのブロードキャストメッセージを生成する第２のステップと、
該特定したエリア情報と、該生成したブロードキャストメッセージとを前記交換機に送信する第３のステップと、
前記交換機が、前記配信エリア特定サーバから受信したエリア情報に基づいて、該当する基地局と回線を接続する第４のステップと、
該回線を接続した基地局内の前記無線制御装置に、受信したブロードキャストメッセージを送信する第５のステップと、
前記無線制御装置が前記ブロードキャストメッセージを受信したときに、前記携帯端末のブロードキャスト受信モードを起動させる起動信号を送信する第６のステップと、
前記携帯端末が、前記起動信号を受信したときに、ブロードキャスト受信モードを起動させる第７のステップと、
前記配信エリア特定サーバが、２拠点観測情報を受信したときに、前記交換機、無線制御装置を介して、前記携帯端末に該２拠点観測情報を送信する第８のステップと、
前記携帯端末が、前記２拠点観測情報を受信したときに、配信された文字列を表示する第９のステップと、
をコンピュータに実行させるためのプログラム。
【請求項１０】
気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムにおける緊急地震速報配信方法をコンピュータに実行させるためのプログラムであって、
前記配信エリア特定サーバが、前記受信した緊急地震速報のうち１拠点観測情報に基づいて、ブロードキャストにより情報を配信するエリアを特定する第１のステップと、
前記１拠点観測情報に基づいて、前記携帯端末のブロードキャスト受信モードを起動するためのブロードキャストメッセージを生成する第２のステップと、
該特定したエリア情報と、該生成したブロードキャストメッセージとを前記交換機に送信する第３のステップと、
前記交換機が、前記配信エリア特定サーバから受信したエリア情報に基づいて、該当する基地局と回線を接続する第４のステップと、
該回線を接続した基地局内の前記無線制御装置に、受信したブロードキャストメッセージを送信する第５のステップと、
前記無線制御装置が前記ブロードキャストメッセージを受信したときに、前記携帯端末のブロードキャスト受信モードを起動させる起動信号を送信する第６のステップと、
前記携帯端末が、前記起動信号を受信したときに、ブロードキャスト受信モードを起動させる第７のステップと、
所定時間経過後に、前記交換機を介して、基地局内の無線制御装置に、前記ブロードキャストメッセージを再送信する第８のステップと、
前記配信エリア特定サーバが、２拠点観測情報を受信したときに、前記交換機、無線制御装置を介して、前記携帯端末に該２拠点観測情報を送信する第９のステップと、
前記携帯端末が、前記２拠点観測情報を受信したときに、配信された文字列を表示する第１０のステップと、
をコンピュータに実行させるためのプログラム。
【請求項１１】
気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムにおける緊急地震速報配信方法をコンピュータに実行させるためのプログラムであって、
前記配信エリア特定サーバが、前記受信した緊急地震速報のうち１拠点観測情報に基づいて、ブロードキャストにより情報を配信するエリアを特定する第１のステップと、
前記１拠点観測情報に基づいて、前記携帯端末のブロードキャスト受信モードを起動するためのブロードキャストメッセージを生成する第２のステップと、
該特定したエリア情報と、該生成したブロードキャストメッセージとを前記交換機に送信する第３のステップと、
前記交換機が、前記配信エリア特定サーバから受信したエリア情報に基づいて、該当する基地局と回線を接続する第４のステップと、
該回線を接続した基地局内の前記無線制御装置に、受信したブロードキャストメッセージを送信する第５のステップと、
前記無線制御装置が前記ブロードキャストメッセージを受信したときに、前記携帯端末のブロードキャスト受信モードを起動させる起動信号を送信する第６のステップと、
前記携帯端末が、前記起動信号を受信したときに、ブロードキャスト受信モードを起動させる第７のステップと、
所定時間経過後に、前記交換機を介して、基地局内の無線制御装置に、ダミーのブロードキャストメッセージを再送信する第８のステップと、
前記配信エリア特定サーバが、２拠点観測情報を受信したときに、前記交換機、無線制御装置を介して、前記携帯端末に該２拠点観測情報を送信する第９のステップと、
前記携帯端末が、前記２拠点観測情報を受信したときに、配信された文字列を表示する第１０のステップと、
をコンピュータに実行させるためのプログラム。
【発明の詳細な説明】
【技術分野】
【０００１】
本発明は、気象庁から配信される緊急地震速報をブロードキャストで短時間に該当エリア内の多くの携帯端末に配信する緊急地震速報配信システム、緊急地震速報配信方法およびプログラムに関する。
【背景技術】
【０００２】
最近、緊急地震速報（例えば、特許文献１参照。）が試験的に気象庁から伝達されるようになり、報知や制御に使うための試みが多方面で行われている。緊急地震速報は、震源に近い地震計が捉えた情報を用いて主要動（大きな揺れ）が到達する前に伝えられる地震情報で、近い将来、本運用される予定である。
【０００３】
このシステムは、気象庁から地震の発生を各地に設けられた地震計等により計測し、計測の結果、得られた情報を緊急地震速報として、その予想震度や発生地域等をテレビやラジオのメディアあるいは、サーバを介して、携帯端末やパソコンに通知するものである。
【特許文献１】特開２００２−２７７５５７号公報
【発明の開示】
【発明が解決しようとする課題】
【０００４】
ここで、気象庁から発せられる情報には、２つの拠点での観測データに基づいて生成される一般情報（２拠点観測情報）と、１つの拠点のみの観測データに基づいて生成される高度利用者向け情報（１拠点観測情報）とがある。
【０００５】
従来、携帯端末における緊急地震速報の配信は、図１８に示すように、気象庁内に設けられた緊急地震速報配信装置１から配信される上記の一般情報（２拠点観測情報）を配信エリア特定サーバ３が受信して、交換機４、無線制御装置５を介して、ブロードキャスティング機能を有する対象エリア内の携帯端末に情報を配信するシステムが一般的であった。
【０００６】
しかしながら、ブロードキャスティング機能を有する携帯端末の場合、ブロードキャスティングモードの起動信号を受けてから、実際に、ブロードキャスティングモードが起動するまでには、相当の時間（図中、例えば、最大５．２秒）を要し、しかも、起動後に緊急地震速報を取得するのにも相当の時間（図中、例えば、最大２．８秒）を要していた。なお、上記の時間については、あくまでも例示であるが、発明の内容をより具体的に示すために、以後、この時間表示を使用する。
【０００７】
これは、図１９に示すように、携帯端末が、呼び出しページング（１ｓｔページ）と呼ばれる６４スロットが１かたまりとなって連続して配信される情報を所定の間隔で見に行って、ブロードキャスティングモードの起動情報を得る仕組みのために、見に行くタイミングによって、相当の時間（図中、例えば、最大５．２秒）を要してしまうという事情と、さらに、ブロードキャスト用ページング（２ｎｄページ）と呼ばれる３５スロットが１かたまりとなって連続して配信される情報を所定の間隔で見に行って、その一部に格納されている緊急地震速報を得る仕組みのために、見に行くタイミングによって、相当の時間（図中、例えば、最大２．８秒）を要してしまうという事情があるためである。
【０００８】
そもそも、気象庁が配信する一般情報（２拠点観測情報）は、情報の配信後、ごく短時間で大きな地震が発生することを知らせるものであることから、この情報を最大限に活用し、その被害を最小限に食い止めるためには、一般情報（２拠点観測情報）をなるべく短時間に多くの人々に知らせる必要がある。
【０００９】
そこで、本発明は、上記課題に鑑みてなされたものであり、一般情報（２拠点観測情報）をできるだけ短時間に携帯端末に配信する緊急地震速報配信システム、緊急地震速報配信方法およびプログラムを提供することを目的とする。
【課題を解決するための手段】
【００１０】
本発明は、上記した課題を解決するために以下の事項を提案している。
【００１１】
（１）本発明は、気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムであって、前記配信エリア特定サーバが、前記受信した緊急地震速報のうち１拠点観測情報に基づいて、ブロードキャストにより情報を配信するエリアを特定するエリア特定手段と、前記１拠点観測情報に基づいて、前記携帯端末のブロードキャスト受信モードを起動するためのブロードキャストメッセージを生成する生成手段と、該エリア特定手段が特定したエリア情報と、該生成手段が生成したブロードキャストメッセージと、前記緊急地震速報配信装置から受信した２拠点観測情報とを前記交換機に送信する第１の送信手段と、を備え、前記交換機が、前記配信エリア特定サーバから受信したエリア情報に基づいて、該当する基地局と回線を接続する回線接続手段と、該回線接続手段により回線を接続した基地局内の前記無線制御装置に、受信したブロードキャストメッセージを送信するとともに、２拠点観測情報を受信したときに、該２拠点観測情報を送信する第２の送信手段と、を備え、前記無線制御装置が前記ブロードキャストメッセージを受信したときに、前記携帯端末のブロードキャスト受信モードを起動させる起動信号を送信するとともに、前記２拠点観測情報を受信したときに、該２拠点観測情報を送信する第３の送信手段を備え、前記携帯端末が、前記起動信号を受信したときに、ブロードキャスト受信モードを起動させる起動手段と、前記２拠点観測情報を受信したときに、配信された文字列を表示する表示手段と、を備えたことを特徴とする緊急地震速報配信システムを提案している。
【００１２】
この発明によれば、配信エリア特定サーバのエリア特定手段が、受信した緊急地震速報のうち１拠点観測情報に基づいて、ブロードキャストにより情報を配信するエリアを特定し、生成手段が、１拠点観測情報に基づいて、携帯端末のブロードキャスト受信モードを起動するためのブロードキャストメッセージを生成する。そして、第１の送信手段が、特定したエリア情報と、生成したブロードキャストメッセージと、受信した２拠点観測情報とを交換機に送信する。交換機の回線接続手段は、配信エリア特定サーバから受信したエリア情報に基づいて、該当する基地局と回線を接続し、第２の送信手段が、回線を接続した基地局内の無線制御装置に、受信したブロードキャストメッセージを送信するとともに、２拠点観測情報を受信したときに、２拠点観測情報を送信する。無線制御装置の第３の送信手段は、ブロードキャストメッセージを受信したときに、携帯端末のブロードキャスト受信モードを起動させる起動信号を送信するとともに、２拠点観測情報を受信したときに、２拠点観測情報を送信する。携帯端末の起動手段は、起動信号を受信したときに、ブロードキャスト受信モードを起動させ、表示手段は、２拠点観測情報を受信したときに、配信された文字列を表示する。したがって、１拠点観測情報を受信した時点で、携帯端末のブロードキャスト受信モードを起動させるため、次に、配信される２拠点観測情報を短時間で受信することができる。
【００１３】
（２）本発明は、（１）の緊急地震速報配信システムについて、前記配信エリア特定サーバの第１の送信手段が、前記１拠点観測情報を所定時間経過後に、再送信することを特徴とする緊急地震速報配信システムを提案している。
【００１４】
この発明によれば、配信エリア特定サーバの第１の送信手段が、１拠点観測情報を所定時間経過後に、再送信する。一般に、携帯端末のブロードキャスト受信モードは、起動して、緊急地震速報を検出できなかった場合には、ブロードキャスト受信モードをオフしてしまう。しかしながら、１拠点観測情報から２拠点観測情報の配信までに相当の時間を要する場合には、ブロードキャスト受信モードをオフした後に、２拠点観測情報が配信され、従来と同様に、緊急地震速報の取得に相当の時間を要する場合も考えられる。そこで、本発明のように、１拠点観測情報を所定時間経過後に、再送信することにより、上記のような状況を未然に防止することができる。
【００１５】
（３）本発明は、（２）の緊急地震速報配信システムについて、前記配信エリア特定サーバが、前記再送信の送信間隔および送信回数を設定する再送信設定手段を備えたことを特徴とする緊急地震速報配信システムを提案している。
【００１６】
この発明によれば、配信エリア特定サーバの再送信設定手段により、再送信の送信間隔および送信回数を自由に設定することができるため、ブロードキャスト受信モードが極端に長く、設定されるという不都合を回避することができる。
【００１７】
（４）本発明は、（１）の緊急地震速報配信システムについて、前記配信エリア特定サーバが、前記１拠点観測情報に類するダミー情報を生成する生成手段を備え、第１の送信手段が、該生成したダミー情報を送信することを特徴とする緊急地震速報配信システムを提案している。
【００１８】
この発明によれば、配信エリア特定サーバの生成手段が、１拠点観測情報に類するダミー情報を生成し、第１の送信手段が、生成したダミー情報を送信する。したがって、携帯端末のブロードキャスト受信モードがたとえ短時間でもオフすることなく、ブロードキャスト受信モードを維持できる。
【００１９】
（５）本発明は、（４）の緊急地震速報配信システムについて、前記配信エリア特定サーバが、前記生成手段が生成するダミー情報の生成間隔および生成回数を設定するダミー情報設定手段を備えたことを特徴とする緊急地震速報配信システムを提案している。
【００２０】
この発明によれば、配信エリア特定サーバのダミー情報設定手段により、生成するダミー情報の生成間隔および生成回数を自由に設定することができる。したがって、ブロードキャスト受信モードが極端に長く、継続的に設定されるという不都合を回避することができる。
【００２１】
（６）本発明は、気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムにおける緊急地震速報配信方法であって、前記配信エリア特定サーバが、前記受信した緊急地震速報のうち１拠点観測情報に基づいて、ブロードキャストにより情報を配信するエリアを特定する第１のステップ（例えば、図７のステップＳ１０１に相当）と、前記１拠点観測情報に基づいて、前記携帯端末のブロードキャスト受信モードを起動するためのブロードキャストメッセージを生成する第２のステップ（例えば、図７のステップＳ１０２に相当）と、該特定したエリア情報と、該生成したブロードキャストメッセージとを前記交換機に送信する第３のステップ（例えば、図７のステップＳ１０３に相当）と、前記交換機が、前記配信エリア特定サーバから受信したエリア情報に基づいて、該当する基地局と回線を接続する第４のステップ（例えば、図７のステップＳ１０４に相当）と、該回線を接続した基地局内の前記無線制御装置に、受信したブロードキャストメッセージを送信する第５のステップ（例えば、図７のステップＳ１０５に相当）と、前記無線制御装置が前記ブロードキャストメッセージを受信したときに、前記携帯端末のブロードキャスト受信モードを起動させる起動信号を送信する第６のステップ（例えば、図７のステップＳ１０６に相当）と、前記携帯端末が、前記起動信号を受信したときに、ブロードキャスト受信モードを起動させる第７のステップ（例えば、図７のステップＳ１０７に相当）と、前記配信エリア特定サーバが、２拠点観測情報を受信したときに、前記交換機、無線制御装置を介して、前記携帯端末に該２拠点観測情報を送信する第８のステップ（例えば、図７のステップＳ１０８に相当）と、前記携帯端末が、前記２拠点観測情報を受信したときに、配信された文字列を表示する第９のステップ（例えば、図７のステップＳ１０９に相当）と、を備えたことを特徴とする緊急地震速報配信方法を提案している。
【００２２】
この発明によれば、配信エリア特定サーバが、受信した緊急地震速報のうち１拠点観測情報に基づいて、ブロードキャストにより情報を配信するエリアを特定し、１拠点観測情報に基づいて、携帯端末のブロードキャスト受信モードを起動するためのブロードキャストメッセージを生成し、特定したエリア情報と、生成したブロードキャストメッセージとを交換機に送信する。交換機は、配信エリア特定サーバから受信したエリア情報に基づいて、該当する基地局と回線を接続し、回線を接続した基地局内の無線制御装置に、受信したブロードキャストメッセージを送信する。無線制御装置は、ブロードキャストメッセージを受信したときに、携帯端末のブロードキャスト受信モードを起動させる起動信号を送信し、携帯端末は、起動信号を受信したときに、ブロードキャスト受信モードを起動させる。そして、配信エリア特定サーバが、２拠点観測情報を受信したときに、交換機、無線制御装置を介して、携帯端末に２拠点観測情報を送信し、携帯端末が、２拠点観測情報を受信したときに、配信された文字列を表示する。したがって、１拠点観測情報を受信した時点で、携帯端末のブロードキャスト受信モードを起動させるため、次に、配信される２拠点観測情報を短時間で受信することができる。
【００２３】
（７）本発明は、気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムにおける緊急地震速報配信方法であって、前記配信エリア特定サーバが、前記受信した緊急地震速報のうち１拠点観測情報に基づいて、ブロードキャストにより情報を配信するエリアを特定する第１のステップ（例えば、図１０のステップＳ２０１に相当）と、前記１拠点観測情報に基づいて、前記携帯端末のブロードキャスト受信モードを起動するためのブロードキャストメッセージを生成する第２のステップ（例えば、図１０のステップＳ２０２に相当）と、該特定したエリア情報と、該生成したブロードキャストメッセージとを前記交換機に送信する第３のステップ（例えば、図１０のステップＳ２０３に相当）と、前記交換機が、前記配信エリア特定サーバから受信したエリア情報に基づいて、該当する基地局と回線を接続する第４のステップ（例えば、図１０のステップＳ２０４に相当）と、該回線を接続した基地局内の前記無線制御装置に、受信したブロードキャストメッセージを送信する第５のステップ（例えば、図１０のステップＳ２０５に相当）と、前記無線制御装置が前記ブロードキャストメッセージを受信したときに、前記携帯端末のブロードキャスト受信モードを起動させる起動信号を送信する第６のステップ（例えば、図１０のステップＳ２０６に相当）と、前記携帯端末が、前記起動信号を受信したときに、ブロードキャスト受信モードを起動させる第７のステップ（例えば、図１０のステップＳ２０７に相当）と、所定時間経過後に、前記交換機を介して、基地局内の無線制御装置に、前記ブロードキャストメッセージを再送信する第８のステップ（例えば、図１０のステップＳ２０８に相当）と、前記配信エリア特定サーバが、２拠点観測情報を受信したときに、前記交換機、無線制御装置を介して、前記携帯端末に該２拠点観測情報を送信する第９のステップ（例えば、図１０のステップＳ２０９に相当）と、前記携帯端末が、前記２拠点観測情報を受信したときに、配信された文字列を表示する第１０のステップ（例えば、図１０のステップＳ２１０に相当）と、を備えたことを特徴とする緊急地震速報配信方法を提案している。
【００２４】
この発明によれば、配信エリア特定サーバが、受信した緊急地震速報のうち１拠点観測情報に基づいて、ブロードキャストにより情報を配信するエリアを特定し、１拠点観測情報に基づいて、携帯端末のブロードキャスト受信モードを起動するためのブロードキャストメッセージを生成し、特定したエリア情報と、生成したブロードキャストメッセージとを交換機に送信する。交換機は、配信エリア特定サーバから受信したエリア情報に基づいて、該当する基地局と回線を接続し、回線を接続した基地局内の無線制御装置に、受信したブロードキャストメッセージを送信する。無線制御装置は、ブロードキャストメッセージを受信したときに、携帯端末のブロードキャスト受信モードを起動させる起動信号を送信し、携帯端末は、起動信号を受信したときに、ブロードキャスト受信モードを起動させる。そして、所定時間経過後に、交換機を介して、基地局内の無線制御装置に、ブロードキャストメッセージを再送信する。配信エリア特定サーバは、２拠点観測情報を受信したときに、交換機、無線制御装置を介して、携帯端末に２拠点観測情報を送信し、携帯端末は、２拠点観測情報を受信したときに、配信された文字列を表示する。したがって、１拠点観測情報を所定時間経過後に、再送信することにより、ブロードキャスト受信モードをオフした後に、２拠点観測情報が配信された場合でも、従来よりも短時間で、緊急地震速報を受信することができる。
【００２５】
（８）本発明は、気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムにおける緊急地震速報配信方法であって、前記配信エリア特定サーバが、前記受信した緊急地震速報のうち１拠点観測情報に基づいて、ブロードキャストにより情報を配信するエリアを特定する第１のステップ（例えば、図１７のステップＳ３０１に相当）と、前記１拠点観測情報に基づいて、前記携帯端末のブロードキャスト受信モードを起動するためのブロードキャストメッセージを生成する第２のステップ（例えば、図１７のステップＳ３０２に相当）と、該特定したエリア情報と、該生成したブロードキャストメッセージとを前記交換機に送信する第３のステップ（例えば、図１７のステップＳ３０３に相当）と、前記交換機が、前記配信エリア特定サーバから受信したエリア情報に基づいて、該当する基地局と回線を接続する第４のステップ（例えば、図１７のステップＳ３０４に相当）と、該回線を接続した基地局内の前記無線制御装置に、受信したブロードキャストメッセージを送信する第５のステップ（例えば、図１７のステップＳ３０５に相当）と、前記無線制御装置が前記ブロードキャストメッセージを受信したときに、前記携帯端末のブロードキャスト受信モードを起動させる起動信号を送信する第６のステップ（例えば、図１７のステップＳ３０６に相当）と、前記携帯端末が、前記起動信号を受信したときに、ブロードキャスト受信モードを起動させる第７のステップ（例えば、図１７のステップＳ３０７に相当）と、所定時間経過後に、前記交換機を介して、基地局内の無線制御装置に、ダミーのブロードキャストメッセージを再送信する第８のステップ（例えば、図１７のステップＳ３０８に相当）と、前記配信エリア特定サーバが、２拠点観測情報を受信したときに、前記交換機、無線制御装置を介して、前記携帯端末に該２拠点観測情報を送信する第９のステップ（例えば、図１７のステップＳ３０９に相当）と、前記携帯端末が、前記２拠点観測情報を受信したときに、配信された文字列を表示する第１０のステップ（例えば、図１７のステップＳ３１０に相当）と、を備えたことを特徴とする緊急地震速報配信方法を提案している。
【００２６】
この発明によれば、配信エリア特定サーバが、受信した緊急地震速報のうち１拠点観測情報に基づいて、ブロードキャストにより情報を配信するエリアを特定し、１拠点観測情報に基づいて、携帯端末のブロードキャスト受信モードを起動するためのブロードキャストメッセージを生成し、特定したエリア情報と、生成したブロードキャストメッセージとを交換機に送信する。交換機は、配信エリア特定サーバから受信したエリア情報に基づいて、該当する基地局と回線を接続し、回線を接続した基地局内の無線制御装置に、受信したブロードキャストメッセージを送信する。無線制御装置は、ブロードキャストメッセージを受信したときに、携帯端末のブロードキャスト受信モードを起動させる起動信号を送信し、携帯端末は、起動信号を受信したときに、ブロードキャスト受信モードを起動させる。そして、所定時間経過後に、交換機を介して、基地局内の無線制御装置に、ダミーのブロードキャストメッセージを再送信する。配信エリア特定サーバは、２拠点観測情報を受信したときに、交換機、無線制御装置を介して、携帯端末に該２拠点観測情報を送信し、携帯端末は、２拠点観測情報を受信したときに、配信された文字列を表示する。したがって、携帯端末のブロードキャスト受信モードがたとえ短時間でもオフすることなく、ブロードキャスト受信モードを維持できる。
【００２７】
（９）本発明は、気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムにおける緊急地震速報配信方法をコンピュータに実行させるためのプログラムであって、前記配信エリア特定サーバが、前記受信した緊急地震速報のうち１拠点観測情報に基づいて、ブロードキャストにより情報を配信するエリアを特定する第１のステップ（例えば、図７のステップＳ１０１に相当）と、前記１拠点観測情報に基づいて、前記携帯端末のブロードキャスト受信モードを起動するためのブロードキャストメッセージを生成する第２のステップ（例えば、図７のステップＳ１０２に相当）と、該特定したエリア情報と、該生成したブロードキャストメッセージとを前記交換機に送信する第３のステップ（例えば、図７のステップＳ１０３に相当）と、前記交換機が、前記配信エリア特定サーバから受信したエリア情報に基づいて、該当する基地局と回線を接続する第４のステップ（例えば、図７のステップＳ１０４に相当）と、該回線を接続した基地局内の前記無線制御装置に、受信したブロードキャストメッセージを送信する第５のステップ（例えば、図７のステップＳ１０５に相当）と、前記無線制御装置が前記ブロードキャストメッセージを受信したときに、前記携帯端末のブロードキャスト受信モードを起動させる起動信号を送信する第６のステップ（例えば、図７のステップＳ１０６に相当）と、前記携帯端末が、前記起動信号を受信したときに、ブロードキャスト受信モードを起動させる第７のステップ（例えば、図７のステップＳ１０７に相当）と、前記配信エリア特定サーバが、２拠点観測情報を受信したときに、前記交換機、無線制御装置を介して、前記携帯端末に該２拠点観測情報を送信する第８のステップ（例えば、図７のステップＳ１０８に相当）と、前記携帯端末が、前記２拠点観測情報を受信したときに、配信された文字列を表示する第９のステップ（例えば、図７のステップＳ１０９に相当）と、をコンピュータに実行させるためのプログラムを提案している。
【００２８】
この発明によれば、配信エリア特定サーバが、受信した緊急地震速報のうち１拠点観測情報に基づいて、ブロードキャストにより情報を配信するエリアを特定し、１拠点観測情報に基づいて、携帯端末のブロードキャスト受信モードを起動するためのブロードキャストメッセージを生成し、特定したエリア情報と、生成したブロードキャストメッセージとを交換機に送信する。交換機は、配信エリア特定サーバから受信したエリア情報に基づいて、該当する基地局と回線を接続し、回線を接続した基地局内の無線制御装置に、受信したブロードキャストメッセージを送信する。無線制御装置は、ブロードキャストメッセージを受信したときに、携帯端末のブロードキャスト受信モードを起動させる起動信号を送信し、携帯端末は、起動信号を受信したときに、ブロードキャスト受信モードを起動させる。そして、配信エリア特定サーバが、２拠点観測情報を受信したときに、交換機、無線制御装置を介して、携帯端末に２拠点観測情報を送信し、携帯端末が、２拠点観測情報を受信したときに、配信された文字列を表示する。したがって、１拠点観測情報を受信した時点で、携帯端末のブロードキャスト受信モードを起動させるため、次に、配信される２拠点観測情報を短時間で受信することができる。
【００２９】
（１０）本発明は、気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムにおける緊急地震速報配信方法をコンピュータに実行させるためのプログラムであって、前記配信エリア特定サーバが、前記受信した緊急地震速報のうち１拠点観測情報に基づいて、ブロードキャストにより情報を配信するエリアを特定する第１のステップ（例えば、図１０のステップＳ２０１に相当）と、前記１拠点観測情報に基づいて、前記携帯端末のブロードキャスト受信モードを起動するためのブロードキャストメッセージを生成する第２のステップ（例えば、図１０のステップＳ２０２に相当）と、該特定したエリア情報と、該生成したブロードキャストメッセージとを前記交換機に送信する第３のステップ（例えば、図１０のステップＳ２０３に相当）と、前記交換機が、前記配信エリア特定サーバから受信したエリア情報に基づいて、該当する基地局と回線を接続する第４のステップ（例えば、図１０のステップＳ２０４に相当）と、該回線を接続した基地局内の前記無線制御装置に、受信したブロードキャストメッセージを送信する第５のステップ（例えば、図１０のステップＳ２０５に相当）と、前記無線制御装置が前記ブロードキャストメッセージを受信したときに、前記携帯端末のブロードキャスト受信モードを起動させる起動信号を送信する第６のステップ（例えば、図１０のステップＳ２０６に相当）と、前記携帯端末が、前記起動信号を受信したときに、ブロードキャスト受信モードを起動させる第７のステップ（例えば、図１０のステップＳ２０７に相当）と、所定時間経過後に、前記交換機を介して、基地局内の無線制御装置に、前記ブロードキャストメッセージを再送信する第８のステップ（例えば、図１０のステップＳ２０８に相当）と、前記配信エリア特定サーバが、２拠点観測情報を受信したときに、前記交換機、無線制御装置を介して、前記携帯端末に該２拠点観測情報を送信する第９のステップ（例えば、図１０のステップＳ２０９に相当）と、前記携帯端末が、前記２拠点観測情報を受信したときに、配信された文字列を表示する第１０のステップ（例えば、図１０のステップＳ２１０に相当）と、をコンピュータに実行させるためのプログラムを提案している。
【００３０】
この発明によれば、配信エリア特定サーバが、受信した緊急地震速報のうち１拠点観測情報に基づいて、ブロードキャストにより情報を配信するエリアを特定し、１拠点観測情報に基づいて、携帯端末のブロードキャスト受信モードを起動するためのブロードキャストメッセージを生成し、特定したエリア情報と、生成したブロードキャストメッセージとを交換機に送信する。交換機は、配信エリア特定サーバから受信したエリア情報に基づいて、該当する基地局と回線を接続し、回線を接続した基地局内の無線制御装置に、受信したブロードキャストメッセージを送信する。無線制御装置は、ブロードキャストメッセージを受信したときに、携帯端末のブロードキャスト受信モードを起動させる起動信号を送信し、携帯端末は、起動信号を受信したときに、ブロードキャスト受信モードを起動させる。そして、所定時間経過後に、交換機を介して、基地局内の無線制御装置に、ブロードキャストメッセージを再送信する。配信エリア特定サーバは、２拠点観測情報を受信したときに、交換機、無線制御装置を介して、携帯端末に２拠点観測情報を送信し、携帯端末は、２拠点観測情報を受信したときに、配信された文字列を表示する。したがって、１拠点観測情報を所定時間経過後に、再送信することにより、ブロードキャスト受信モードをオフした後に、２拠点観測情報が配信された場合でも、従来よりも短時間で、緊急地震速報を受信することができる。
【００３１】
（１１）本発明は、気象庁に設けられ、緊急地震速報を配信する緊急地震速報配信装置と、該緊急地震速報を受信して、配信エリアを特定する配信エリア特定サーバと、交換機と、該交換機を介して受信した情報に基づいて、携帯端末を制御する無線制御装置と、前記緊急地震速報を受信する携帯端末とからなる緊急地震速報配信システムにおける緊急地震速報配信方法をコンピュータに実行させるためのプログラムであって、前記配信エリア特定サーバが、前記受信した緊急地震速報のうち１拠点観測情報に基づいて、ブロードキャストにより情報を配信するエリアを特定する第１のステップ（例えば、図１７のステップＳ３０１に相当）と、前記１拠点観測情報に基づいて、前記携帯端末のブロードキャスト受信モードを起動するためのブロードキャストメッセージを生成する第２のステップ（例えば、図１７のステップＳ３０２に相当）と、該特定したエリア情報と、該生成したブロードキャストメッセージとを前記交換機に送信する第３のステップ（例えば、図１７のステップＳ３０３に相当）と、前記交換機が、前記配信エリア特定サーバから受信したエリア情報に基づいて、該当する基地局と回線を接続する第４のステップ（例えば、図１７のステップＳ３０４に相当）と、該回線を接続した基地局内の前記無線制御装置に、受信したブロードキャストメッセージを送信する第５のステップ（例えば、図１７のステップＳ３０５に相当）と、前記無線制御装置が前記ブロードキャストメッセージを受信したときに、前記携帯端末のブロードキャスト受信モードを起動させる起動信号を送信する第６のステップ（例えば、図１７のステップＳ３０６に相当）と、前記携帯端末が、前記起動信号を受信したときに、ブロードキャスト受信モードを起動させる第７のステップ（例えば、図１７のステップＳ３０７に相当）と、所定時間経過後に、前記交換機を介して、基地局内の無線制御装置に、ダミーのブロードキャストメッセージを再送信する第８のステップ（例えば、図１７のステップＳ３０８に相当）と、前記配信エリア特定サーバが、２拠点観測情報を受信したときに、前記交換機、無線制御装置を介して、前記携帯端末に該２拠点観測情報を送信する第９のステップ（例えば、図１７のステップＳ３０９に相当）と、前記携帯端末が、前記２拠点観測情報を受信したときに、配信された文字列を表示する第１０のステップ（例えば、図１７のステップＳ３１０に相当）と、をコンピュータに実行させるためのプログラムを提案している。
【００３２】
この発明によれば、配信エリア特定サーバが、受信した緊急地震速報のうち１拠点観測情報に基づいて、ブロードキャストにより情報を配信するエリアを特定し、１拠点観測情報に基づいて、携帯端末のブロードキャスト受信モードを起動するためのブロードキャストメッセージを生成し、特定したエリア情報と、生成したブロードキャストメッセージとを交換機に送信する。交換機は、配信エリア特定サーバから受信したエリア情報に基づいて、該当する基地局と回線を接続し、回線を接続した基地局内の無線制御装置に、受信したブロードキャストメッセージを送信する。無線制御装置は、ブロードキャストメッセージを受信したときに、携帯端末のブロードキャスト受信モードを起動させる起動信号を送信し、携帯端末は、起動信号を受信したときに、ブロードキャスト受信モードを起動させる。そして、所定時間経過後に、交換機を介して、基地局内の無線制御装置に、ダミーのブロードキャストメッセージを再送信する。配信エリア特定サーバは、２拠点観測情報を受信したときに、交換機、無線制御装置を介して、携帯端末に該２拠点観測情報を送信し、携帯端末は、２拠点観測情報を受信したときに、配信された文字列を表示する。したがって、携帯端末のブロードキャスト受信モードがたとえ短時間でもオフすることなく、ブロードキャスト受信モードを維持できる。
【発明の効果】
【００３３】
本発明によれば、携帯端末において、一般情報（２拠点観測情報）をできるだけ短時間に携帯端末に配信できるという効果がある。
【発明を実施するための最良の形態】
【００３４】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３５】
＜第１の実施形態＞
図１から図７を用いて、本実施形態について説明する。
【００３６】
＜緊急地震速報配信システムの構成＞
本実施形態に係る緊急地震速報配信システムは、図１に示すように、緊急地震速報配信装置１と、配信エリア特定サーバ３と、交換機４と、無線制御装置５と、携帯端末７と、からなり、緊急地震速報配信装置１と配信エリア特定サーバ３、無線制御装置５と携帯端末７との間は、それぞれネットワーク２、６を介して接続されている。
【００３７】
緊急地震速報配信装置１は、気象庁内に設けられ、全国各地の主要拠点に設けられた地震計等の計測により、２つの拠点での観測データに基づいて生成される一般情報（２拠点観測情報）と、１つの拠点のみの観測データに基づいて生成される高度利用者向け情報（１拠点観測情報）とを配信エリア特定サーバ３に配信する。
【００３８】
配信エリア特定サーバ３は、前記緊急地震速報配信装置１とネットワーク２を介して接続され、受信した高度利用者向け情報（１拠点観測情報）に基づいて、配信エリア情報を含むブロードキャスティングメッセージを生成するとともに、生成したブロードキャスティングメッセージと一般情報（２拠点観測情報）とを交換機４に送信する。
【００３９】
交換機４は、受信した配信エリア情報を含むブロードキャスティングメッセージから該当する基地局との回線を接続し、ブロードキャスティングメッセージと一般情報（２拠点観測情報）とを送信する。
【００４０】
無線制御装置５は、基地局内に設けられ、受信したブロードキャスティングメッセージに基づいて、携帯端末５に対して、ブロードキャストの起動信号を呼び出しページング（１ｓｔページ）に埋め込んで送信するとともに、一般情報（２拠点観測情報）をブロードキャスト用ページング（２ｎｄページ）に埋め込んで、送信する。
【００４１】
本実施形態の携帯端末７は、ブロードキャスト受信機能を有し、前記、呼び出しページング（１ｓｔページ）からブロードキャストの起動信号を検索し、ブロードキャスト受信機能を作動させるとともに、ブロードキャスト用ページング（２ｎｄページ）から一般情報（２拠点観測情報）を検索し、必要な情報を表示して、ユーザに報知する。
【００４２】
＜配信エリア特定サーバの構成＞
配信エリア特定サーバ３は、図２に示すように、受信部２１と、エリア特定部２２と、ブロードキャストメッセージ生成部２３と、送信部２４とから構成されている。
【００４３】
受信部２１は、緊急地震速報配信装置１から高度利用者向け情報（１拠点観測情報）と、一般情報（２拠点観測情報）とを受信する。エリア特定部２２は、受信した高度利用者向け情報（１拠点観測情報）に基づいて、ブロードキャストにより情報を配信するエリアを特定する。
【００４４】
ブロードキャストメッセージ生成部２３は、受信した高度利用者向け情報（１拠点観測情報）に基づいて、携帯端末７のブロードキャスト受信モードを起動させるためのブロードキャストメッセージを生成する。送信部２４は、エリア特定部２２が特定したエリア情報と、ブロードキャストメッセージ生成部２３が生成したブロードキャストメッセージと、緊急地震速報配信装置１から受信した２拠点観測情報とを交換機４に送信する。
【００４５】
＜交換機の構成＞
本実施形態に係る交換機４は、図３に示すように、受信部３１と、回線接続部３２と、送信部３３とから構成されている。
【００４６】
受信部３１は、特定したエリア情報と、ブロードキャストメッセージと、２拠点観測情報とを受信する。回線接続部３２は、受信したエリア情報に基づいて、該当する基地局と回線を接続する。送信部３３は、回線を接続した基地局内の無線制御装置５に、受信したブロードキャストメッセージを送信するとともに、受信部３１が２拠点観測情報を受信したときに、その２拠点観測情報を送信する。
【００４７】
＜無線制御装置の構成＞
本実施形態に係る無線制御装置５は、図４に示すように、受信部４１と、起動信号生成部４２と、送信部４３とから構成されている。
【００４８】
受信部４１は、ブロードキャストメッセージおよび２拠点観測情報を受信する。起動信号生成部４２は、ブロードキャストメッセージを受信したときに、携帯端末のブロードキャスト受信モードを起動させる起動信号を生成する。送信部４３は、携帯端末７に対して、起動信号を送信するとともに、受信部４１が２拠点観測情報を受信したときに、その２拠点観測情報を送信する。
【００４９】
＜携帯端末の構成＞
本実施形態に係る携帯端末７は、図５に示すように、受信部５１と、ブロードキャスト起動部５２と、ブロードキャスト受信部５３と、表示部５４とから構成されている。
【００５０】
受信部５１は、無線制御装置５から起動信号と２拠点観測情報とを受信する。ブロードキャスト起動部５２は、起動信号を受信したときに、ブロードキャスト受信モードを起動する。ブロードキャスト受信部５３は、ブロードキャスト受信モード起動時に、ブロードキャストされた情報を受信する。表示部５４は、ブロードキャスト受信部５３が、２拠点観測情報を受信したときに、配信された文字列を表示する。
【００５１】
＜緊急地震速報配信システムの処理＞
次に、図６および図７を用いて、本実施形態に係る緊急地震速報配信システムの処理について、説明する。なお、図６は、処理の流れの概略を示した図であり、図７は、その処理の詳細を記載したフロー図である。
【００５２】
図６に示すように、まず、配信エリア特定サーバ３が、気象庁の緊急地震速報配信装置１から、１拠点観測情報を受信すると、該当エリアを特定する情報と先行配信情報であるブロードキャストメッセージとを生成して、交換機４に送信する。交換機４は、該当エリアの基地局と回線を接続して、ブロードキャストメッセージを基地局内の無線制御装置５に送信する。無線制御装置５は、ブロードキャストメッセージに基づいて、ブロードキャスト受信モードを起動する起動信号をエリア内の携帯端末７に送信し、携帯端末７は、起動信号を受信すると、ブロードキャスト受信モードを起動して待機する。
【００５３】
次に、配信エリア特定サーバ３が、気象庁の緊急地震速報配信装置１から、２拠点観測情報を受信すると、この２拠点観測情報を交換機４、無線制御装置５を介して、携帯端末７に配信する。携帯端末７は、この２拠点観測情報を受信すると、その内容を表示部に表示させる。
【００５４】
図７を用いて、さらに、詳細に、その処理を説明すると、まず、配信エリア特定サーバ３が、受信した緊急地震速報のうち１拠点観測情報に基づいて、ブロードキャストにより情報を配信するエリアを特定し（ステップＳ１０１）、さらに、１拠点観測情報に基づいて、携帯端末７のブロードキャスト受信モードを起動するためのブロードキャストメッセージを生成して（ステップＳ１０２）、特定したエリア情報と、生成したブロードキャストメッセージとを交換機４に送信する（ステップＳ１０３）。
【００５５】
次に、交換機４が、配信エリア特定サーバ３から受信したエリア情報に基づいて、該当する基地局と回線を接続し（ステップＳ１０４）、回線を接続した基地局内の無線制御装置５に、受信したブロードキャストメッセージを送信する（ステップＳ１０５）。
【００５６】
無線制御装置５は、ブロードキャストメッセージを受信したときに、携帯端末７のブロードキャスト受信モードを起動させる起動信号を送信し（ステップＳ１０６）、携帯端末７は、起動信号を受信したときに、ブロードキャスト受信モードを起動させる（ステップＳ１０７）。
【００５７】
そして、配信エリア特定サーバ３が、２拠点観測情報を受信したときに、交換機４、無線制御装置５を介して、携帯端末７に２拠点観測情報を送信し（ステップＳ２０８）、携帯端末７が、２拠点観測情報を受信したときに、配信された文字列を表示する（ステップＳ２０９）。
【００５８】
したがって、本実施形態によれば、１拠点観測情報を受信した時点で、携帯端末のブロードキャスト受信モードを起動させるため、次に、配信される２拠点観測情報を短時間で受信することができる。
【００５９】
＜第２の実施形態＞
図８から図１４を用いて、本実施形態について説明する。
本実施形態に係る緊急地震速報配信システムは、第１の実施形態に対して、配信エリア特定サーバ３の構成が異なっている、なお、その他の構成要素については、ほぼ同様の機能を有することから、詳細な説明は省略する。
【００６０】
＜配信エリア特定サーバの構成＞
一般に、携帯端末のブロードキャスト受信モードは、起動して、緊急地震速報を検出できなかった場合には、ブロードキャスト受信モードをオフしてしまう。しかしながら、１拠点観測情報から２拠点観測情報の配信までに相当の時間を要する場合には、ブロードキャスト受信モードをオフした後に、２拠点観測情報が配信され、従来と同様に、緊急地震速報の取得に相当の時間を要する場合も考えられる。そこで、本実施形態では、１拠点観測情報を所定時間経過後に再送信する。
【００６１】
本実施形態に係る配信エリア特定サーバは、図８に示すように、受信部２１と、エリア特定部２２と、ブロードキャストメッセージ生成部２３と、送信部２４との構成に、記憶部２５と、タイマ部２６と、カウンタ部２７と、再送制御部２８を付加して構成されている。
【００６２】
記憶部２４は、受信部２１が緊急地震速報配信装置１から受信した高度利用者向け情報（１拠点観測情報）を一時的に、記憶する記憶装置である。タイマ部２６は、再送間隔を設定し、カウンタ部２７は、再送回数を設定する。なお、タイマ部２６およびカウンタ部２７の設定は、自由に行うことができる。再送制御部２８は、記憶部２４に記憶された１拠点観測情報を読み出し、ブロードキャストメッセージ生成部２３で、ブロードキャストメッセージを生成させ、生成したブロードキャストメッセージをタイマ部２６およびカウンタ部２７の設定にしたがって、所定間隔ごとに所定回数、送信部２４から交換機４に送信する。
【００６３】
＜緊急地震速報配信システムの処理＞
次に、図９から図１４を用いて、本実施形態に係る緊急地震速報配信システムの処理について、説明する。なお、図９は、処理の流れの概略を示した図であり、図１０から図１４は、その処理の詳細を記載したフロー図である。
【００６４】
図９に示すように、まず、配信エリア特定サーバ３が、気象庁の緊急地震速報配信装置１から、１拠点観測情報を受信すると、該当エリアを特定する情報と先行配信情報であるブロードキャストメッセージとを生成して、交換機４に送信する。交換機４は、該当エリアの基地局と回線を接続して、ブロードキャストメッセージを基地局内の無線制御装置５に送信する。無線制御装置５は、ブロードキャストメッセージに基づいて、ブロードキャスト受信モードを起動する起動信号をエリア内の携帯端末７に送信し、携帯端末７は、起動信号を受信すると、ブロードキャスト受信モードを起動して待機する。
【００６５】
配信エリア特定サーバ３は、受信した１拠点観測情報に基づく、ブロードキャストメッセージを送信してから、所定時間が経過すると、再送制御部２８を作動させ、記憶部２４に記憶された１拠点観測情報を読み出し、ブロードキャストメッセージ生成部２３で、ブロードキャストメッセージを生成させ、生成したブロードキャストメッセージをタイマ部２６およびカウンタ部２７の設定にしたがって、所定間隔ごとに所定回数、送信部２４から交換機４に送信する。
【００６６】
そして、配信エリア特定サーバ３が、気象庁の緊急地震速報配信装置１から、２拠点観測情報を受信すると、この２拠点観測情報を交換機４、無線制御装置５を介して、携帯端末７に配信する。携帯端末７は、この２拠点観測情報を受信すると、その内容を表示部に表示させる。
【００６７】
図１０を用いて、さらに、詳細に、その処理を説明すると、まず、配信エリア特定サーバ３が、受信した緊急地震速報のうち１拠点観測情報に基づいて、ブロードキャストにより情報を配信するエリアを特定し（ステップＳ２０１）、さらに、１拠点観測情報に基づいて、携帯端末７のブロードキャスト受信モードを起動するためのブロードキャストメッセージを生成して（ステップＳ２０２）、特定したエリア情報と、生成したブロードキャストメッセージとを交換機４に送信する（ステップＳ２０３）。
【００６８】
次に、交換機４が、配信エリア特定サーバ３から受信したエリア情報に基づいて、該当する基地局と回線を接続し（ステップＳ２０４）、回線を接続した基地局内の無線制御装置５に、受信したブロードキャストメッセージを送信する（ステップＳ２０５）。
【００６９】
無線制御装置５は、ブロードキャストメッセージを受信したときに、携帯端末７のブロードキャスト受信モードを起動させる起動信号を送信し（ステップＳ２０６）、携帯端末７は、起動信号を受信したときに、ブロードキャスト受信モードを起動させる（ステップＳ２０７）。
【００７０】
その後、配信エリア特定サーバ３は、再送処理に入る（ステップＳ２０８）。なお、再送処理の詳細については、図１１から図１４を用いて、後述する。
【００７１】
そして、配信エリア特定サーバ３が、２拠点観測情報を受信したときに、交換機４、無線制御装置５を介して、携帯端末７に２拠点観測情報を送信し（ステップＳ２０９）、携帯端末７が、２拠点観測情報を受信したときに、配信された文字列を表示する（ステップＳ２１０）。
【００７２】
＜再送処理＞
図１１から図１４を用いて、再送処理について、詳細に説明する。
【００７３】
図１１は、再送処理の起動に関するフローである。配信エリア特定サーバ３の図示しない制御部は、まず、再送フラグが立っているか否かを検出する（ステップＳ２１１）。そして、再送フラグが立っている場合には、再送処理を機動し（ステップＳ２１２）、再送フラグが立っていない場合には、再送処理を無視して（ステップＳ２１３）、終了する。
【００７４】
図１２は、配信エリア特定サーバ３が、１拠点観測情報を受信した場合の処理フローである。
まず、１拠点観測情報を受信すると、配信エリア特定サーバ３の図示しない制御部が、速報番号を判定する（ステップＳ２２１）。このとき、「通常」あるいは「第１報」であると判断したときには、地域コードの有無を確認する（ステップＳ２２２）。地域コードの設定がある場合には、次に、震度情報を確認し（ステップＳ２２３）、震度が「４」以上である場合には、地域コードから配信エリアを決定する（ステップＳ２２４）。
【００７５】
そして、交換機４にブロードキャストの起動メッセージを配信し（ステップＳ２２５）、再送フラグをＯＮする（ステップＳ２２６）。一方、速報番号の判定により、「通常」あるいは「第１報」以外であった場合には、これを無視して（ステップＳ２２７）、終了する。また、地域コードの設定がない場合には、全国を対象として、配信エリアを決定する。さらに、震度が「４」以下である場合には、これを無視して（ステップＳ２２７）、終了する。
【００７６】
図１３は、先行情報（ブロードキャストメッセージ）の再送処理に関する処理フローである。
まず、この場合、配信エリア特定サーバ３の図示しない制御部は、再送フラグが「ＯＮ」であるか否かを判定する（ステップＳ２３１）。ここで、再送フラグが「ＯＮ」である場合（ステップＳ２３１の「ｙｅｓ」）には、すでに、設定回数分配信を行ったか否かを確認し（ステップＳ２３２）、まだ、設定回数分配信を行っていない場合（ステップＳ２３２の「Ｎｏ」）には、再送回数を「１」だけカウントアップして（ステップＳ２３３）、再送を行う（ステップＳ２３４）。
【００７７】
一方、再送フラグが、「ＯＦＦ」の場合、あるいは、すでに、設定回数分配信を行っている場合には、再送フラグを「ＯＦＦ」した後（ステップＳ２３５）、再送処理を無視して（ステップＳ２３６）、終了する。
【００７８】
図１４は、一般情報（２拠点観測情報）を受信した場合の処理フローを示している。
この場合、まず、再送フラグが「ＯＮ」であるか否かを判定する（ステップＳ２４１）。そして、再送フラグが「ＯＮ」でない場合（ステップＳ２４１の「Ｎｏ」）は、そのまま、再送フラグが「ＯＮ」である場合（ステップＳ２４１の「Ｙｅｓ」）には、再送フラグをＯＦＦして（ステップＳ２４２）、配信エリアの決定を行う（ステップＳ２４３）。
そして、一般情報（２拠点観測情報）のブロードキャストメッセージを配信する（ステップＳ２４４）。
【００７９】
したがって、本実施形態によれば、１拠点観測情報を送信し、所定時間経過後に、１拠点観測情報を所定の間隔で所定の回数、再送信することにより、１拠点観測情報を受信してから、２拠点観測情報を受信するまでに相当の時間を要する場合であっても、２拠点観測情報を短時間で受信することができる。
【００８０】
＜第３の実施形態＞
図１５から図１７を用いて、本実施形態について説明する。
本実施形態に係る緊急地震速報配信システムは、第１の実施形態に対して、配信エリア特定サーバ３の構成が異なっている、なお、その他の構成要素については、ほぼ同様の機能を有することから、詳細な説明は省略する。
【００８１】
＜配信エリア特定サーバの構成＞
第２の実施形態で説明したように、一般に、携帯端末のブロードキャスト受信モードは、起動して、緊急地震速報を検出できなかった場合には、ブロードキャスト受信モードをオフしてしまう。しかしながら、１拠点観測情報から２拠点観測情報の配信までに相当の時間を要する場合には、ブロードキャスト受信モードをオフした後に、２拠点観測情報が配信され、従来と同様に、緊急地震速報の取得に相当の時間を要する場合も考えられる。そこで、本実施形態では、１拠点観測情報に類するダミーメッセージを生成して、これを所定時間経過後に送信する。
【００８２】
本実施形態に係る配信エリア特定サーバは、図１５に示すように、受信部２１と、エリア特定部２２と、ブロードキャストメッセージ生成部２３と、送信部２４と、タイマ部２６と、カウンタ部２７と、再送制御部２８とからなる構成に、ダミーメッセージ生成部２９を付加して構成されている。
【００８３】
ここで、ダミーメッセージ生成部２９は、配信エリア特定サーバの図示しない制御部の指示により、１拠点観測情報に類するダミーメッセージを生成する。そして、再送制御部２８が、生成したダミーメッセージをタイマ部２６およびカウンタ部２７の設定にしたがって、所定間隔ごとに所定回数、送信部２４から交換機４に送信する。
【００８４】
＜緊急地震速報配信システムの処理＞
次に、図１６および図１７を用いて、本実施形態に係る緊急地震速報配信システムの処理について、説明する。なお、図１６は、処理の流れの概略を示した図であり、図１７は、その処理の詳細を記載したフロー図である。
【００８５】
図１６に示すように、まず、配信エリア特定サーバ３が、気象庁の緊急地震速報配信装置１から、１拠点観測情報を受信すると、該当エリアを特定する情報と先行配信情報であるブロードキャストメッセージとを生成して、交換機４に送信する。交換機４は、該当エリアの基地局と回線を接続して、ブロードキャストメッセージを基地局内の無線制御装置５に送信する。無線制御装置５は、ブロードキャストメッセージに基づいて、ブロードキャスト受信モードを起動する起動信号をエリア内の携帯端末７に送信し、携帯端末７は、起動信号を受信すると、ブロードキャスト受信モードを起動して待機する。
【００８６】
配信エリア特定サーバ３は、受信した１拠点観測情報に基づく、ブロードキャストメッセージを送信してから、所定時間が経過すると、ダミーメッセージ生成部２９において、ダミーメッセージを生成させ、再送制御部２８により生成したダミーメッセージをタイマ部２６およびカウンタ部２７の設定にしたがって、所定間隔ごとに所定回数、送信部２４から交換機４に送信する。
【００８７】
そして、配信エリア特定サーバ３が、気象庁の緊急地震速報配信装置１から、２拠点観測情報を受信すると、この２拠点観測情報を交換機４、無線制御装置５を介して、携帯端末７に配信する。携帯端末７は、この２拠点観測情報を受信すると、その内容を表示部に表示させる。
【００８８】
図１７を用いて、さらに、詳細に、その処理を説明すると、まず、配信エリア特定サーバ３が、受信した緊急地震速報のうち１拠点観測情報に基づいて、ブロードキャストにより情報を配信するエリアを特定し（ステップＳ３０１）、さらに、１拠点観測情報に基づいて、携帯端末７のブロードキャスト受信モードを起動するためのブロードキャストメッセージを生成して（ステップＳ３０２）、特定したエリア情報と、生成したブロードキャストメッセージとを交換機４に送信する（ステップＳ３０３）。
【００８９】
次に、交換機４が、配信エリア特定サーバ３から受信したエリア情報に基づいて、該当する基地局と回線を接続し（ステップＳ３０４）、回線を接続した基地局内の無線制御装置５に、受信したブロードキャストメッセージを送信する（ステップＳ３０５）。
【００９０】
無線制御装置５は、ブロードキャストメッセージを受信したときに、携帯端末７のブロードキャスト受信モードを起動させる起動信号を送信し（ステップＳ３０６）、携帯端末７は、起動信号を受信したときに、ブロードキャスト受信モードを起動させる（ステップＳ３０７）。
【００９１】
所定時間経過後、配信エリア特定サーバ３は、交換機４を介して、基地局内の無線制御装置５にダミーのブロードキャストメッセージを送信する（ステップＳ３０８）。
【００９２】
そして、配信エリア特定サーバ３が、２拠点観測情報を受信したときに、交換機４、無線制御装置５を介して、携帯端末７に２拠点観測情報を送信し（ステップＳ３０９）、携帯端末７が、２拠点観測情報を受信したときに、配信された文字列を表示する（ステップＳ３１０）。
【００９３】
したがって、本実施形態によれば、１拠点観測情報を送信し、所定時間経過後に、ダミーメッセージを所定の間隔で所定の回数、送信することにより、１拠点観測情報を受信してから、２拠点観測情報を受信するまでに相当の時間を要する場合であっても、２拠点観測情報を短時間で受信することができる。
【００９４】
なお、これらプログラムをコンピュータ読み取り可能な記録媒体に記録し、この記録媒体に記録されたプログラムを配信エリア特定サーバ、交換機、無線制御装置、携帯端末のそれぞれ（いずれもコンピュータシステム）に読み込ませ、実行することによって本発明の緊急地震速報配信システムを実現することができる。ここでいうコンピュータシステムとは、ＯＳや周辺装置等のハードウェアを含む。
【００９５】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００９６】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００９７】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００９８】
【図１】第１の実施形態に係る緊急地震速報配信システムの構成図である。
【図２】第１の実施形態に係る配信エリア特定サーバの構成図である。
【図３】第１の実施形態に係る交換機の構成図である。
【図４】第１の実施形態に係る無線制御装置の構成図である。
【図５】第１の実施形態に係る携帯端末の構成図である。
【図６】第１の実施形態に係る緊急地震速報配信システムのタイミングチャートである。
【図７】第１の実施形態に係る緊急地震速報配信システムの処理フローである。
【図８】第２の実施形態に係る配信エリア特定サーバの構成図である。
【図９】第２の実施形態に係る緊急地震速報配信システムのタイミングチャートである。
【図１０】第２の実施形態に係る緊急地震速報配信システムの処理フローである。
【図１１】第２の実施形態に係る再送処理に関する処理フローである。
【図１２】第２の実施形態に係る１拠点観測情報受信時の処理フローである。
【図１３】第２の実施形態に係る先行情報の再送に関する処理フローである。
【図１４】第２の実施形態に係る一般情報受信時の処理フローである。
【図１５】第３の実施形態に係る配信エリア特定サーバの構成図である。
【図１６】第３の実施形態に係る緊急地震速報配信システムのタイミングチャートである。
【図１７】第３の実施形態に係る緊急地震速報配信システムの処理フローである。
【図１８】従来例に係るタイミングチャートである。
【図１９】ブロードキャストに関するデータ構造を示す図である。
【符号の説明】
【００９９】
１・・・緊急地震速報配信装置
２、６・・・ネットワーク
３・・・配信エリア特定サーバ
４・・・交換機
５・・・無線制御装置
７・・・携帯端末
２１、３１、４１、５１・・・受信部
２２・・・エリア特定部
２３・・・ブロードキャストメッセージ生成部
２４、３３、４３・・・送信部
２５・・・記憶部
２６・・・タイマ部
２７・・・カウンタ部
２８・・・再送制御部
２９・・・ダミーメッセージ生成部
３２・・・回線接続部
４２・・・起動信号生成部
５２・・・ブロードキャスト起動部
５３・・・ブロードキャスト受信部
５４・・・表示部
【図１】
0004974940.tif 000002
【図２】
0004974940.tif 000003
【図３】
0004974940.tif 000004
【図４】
0004974940.tif 000005
【図５】
0004974940.tif 000006
【図６】
0004974940.tif 000007
【図７】
0004974940.tif 000008
【図８】
0004974940.tif 000009
【図９】
0004974940.tif 000010
【図１０】
0004974940.tif 000011
【図１１】
0004974940.tif 000012
【図１２】
0004974940.tif 000013
【図１３】
0004974940.tif 000014
【図１４】
0004974940.tif 000015
【図１５】
0004974940.tif 000016
【図１６】
0004974940.tif 000017
【図１７】
0004974940.tif 000018
【図１８】
0004974940.tif 000019
【図１９】
0004974940.tif 000020